(57)【要約】【課題】感電の危険を下げることができ、ケーシング内への水の浸入を防ぐことができ、また、延焼を防ぐことができるヒートポンプユニットを提供する。【解決手段】ケーシング１の開口７には、一方の端部がケーシング１内の電装品に電気的に接続された配線８が挿通される。ケーシング１の開口７の上縁部１３の内面には係止部が設けられている。ケーシング１の開口７に取り付けられた遮蔽板９は、上端部９ａ、側端部９ｂ，９ｃおよび下端部９ｄを有する。遮蔽板９の上端部９ａは、ケーシング１内に挿入されると共に、上記係止部に引っ掛けられて係止される。遮蔽板９の側端部９ｂ，９ｃは、ケーシング１の開口７の側縁部に外側から重なる。遮蔽板９の下端部９ｄは、ケーシング１の開口７の下縁部１６の外面とで配線８を挟む。【選択図】図６
2011094933.tif 000002
【特許請求の範囲】
【請求項１】
ヒートポンプ本体(２，３)と、
上記ヒートポンプ本体(２，３)が収容されると共に、側部に開口(７)が設けられたケーシング(１)と、
上記ケーシング(１)内に配置された電装品(４)と、
上記ケーシング(１)の上記開口(７)に挿通される共に、一方の端部が上記電装品(４)に電気的に接続された配線(８)と、
上記ケーシング(１)の上記開口(７)の上縁部(１３)の内面に設けられた係止部(１２)と、
上記ケーシング(１)の上記開口(７)に取り付けられた遮蔽板(９，２０９)と
を備え、
上記遮蔽板(９，２０９)は、
上記ケーシング(１)内に挿入されると共に、上記係止部(１２)に引っ掛けられて係止される上端部(９ａ)と、
上記ケーシング(１)の上記開口(７)の側縁部(１４，１５)に外側から重なる側端部(９ｂ，９ｃ)と、
上記ケーシング(１)の上記開口(７)の下縁部(１６)の外面とで上記配線(８)を挟む下端部(９ｄ)と
を有することを特徴とするヒートポンプユニット。
【請求項２】
請求項１に記載のヒートポンプユニットにおいて、
上記遮蔽板(９，２０９)の上端部(９ａ)は、上記係止部(１２)を上下方向から挟むように屈曲していることを特徴とするヒートポンプユニット。
【請求項３】
請求項１または２に記載のヒートポンプユニットにおいて、
上記遮蔽板(９，２０９)には、上下方向に延びる縦リブ(１９)と、横方向に延びる横リブ(２２)との少なくとも一方が設けられていることを特徴とするヒートポンプユニット。
【請求項４】
請求項１から３までのいずれか一項に記載のヒートポンプユニットにおいて、
上記遮蔽板(９，２０９)には凹部(２０)が設けられていることを特徴とするヒートポンプユニット。
【発明の詳細な説明】
【技術分野】
【０００１】
本発明は、例えば温水システムの室外機として使用されるヒートポンプユニットに関する。
【背景技術】
【０００２】
従来、空気調和機の室外機としては、特開２００５−１８０７１６号公報（特許文献１）に開示されたものがある。この室外機は、ケーシングと、このケーシング内に配置された電装品とを備えている。
【０００３】
上記ケーシングの一方の側板には、連絡電線が挿通される開口部が設けられている。この開口部の開口面積は、その連絡電線の断面積よりも大きくなっている。このため、開口部と連絡電線との間に隙間が存在する。また、上記ケーシング内の電装品は、上記連絡電線を介して空気調和機の室内機内の電装品に電気的に接続される。そして、上記連絡配線のうち、開口部からケーシング外に出ている部分は、ケーシングの一方の側板に電線止めバンドで固定されている。
【０００４】
通常、上記ケーシングの一方の側板にはカバーが取り付けられ、このカバーが上記開口部および電線止めバンドを覆うようになっている。これにより、上記開口部と連絡電線との間の隙間が露出せず、ユーザがその隙間に手を挿入して感電するのを防いでいる。また、上記カバーにより、上記隙間からケーシング内に水が浸入することも防いでいる。
【０００５】
しかしながら、例えばメンテナンスを行うため、ケーシングの一方の側板からカバーを取り外すと、開口部と連絡電線との間の隙間が露出するため、感電の危険が高くなり、その隙間からケーシング内に水が浸入し易くなってしまうという問題がある。
【０００６】
また、仮に、上記カバーが燃えたなら、カバーの火が上記隙間からケーシング内に燃え広がるという問題もある。
【先行技術文献】
【特許文献】
【０００７】
【特許文献１】特開２００５−１８０７１６号公報（図３）
【発明の概要】
【発明が解決しようとする課題】
【０００８】
そこで、本発明の課題は、感電の危険を下げることができ、ケーシング内への水の浸入を防ぐことができ、また、延焼を防ぐことができるヒートポンプユニットを提供することにある。
【課題を解決するための手段】
【０００９】
上記課題を解決するため、本発明のヒートポンプユニットは、
ヒートポンプ本体と、
上記ヒートポンプ本体が収容されると共に、側部に開口が設けられたケーシングと、
上記ケーシング内に配置された電装品と、
上記ケーシングの上記開口に挿通される共に、一方の端部が上記電装品に電気的に接続された配線と、
上記ケーシングの上記開口の上縁部の内面に設けられた係止部と、
上記ケーシングの上記開口に取り付けられた遮蔽板と
を備え、
上記遮蔽板は、
上記ケーシング内に挿入されると共に、上記係止部に引っ掛けられて係止される上端部と、
上記ケーシングの上記開口の側縁部に外側から重なる側端部と、
上記ケーシングの上記開口の下縁部の外面とで上記配線を挟む下端部と
を有することを特徴としている。
【００１０】
上記構成のヒートポンプユニットによれば、上記ケーシングの開口に遮蔽板を取り付けている。この遮蔽板は、上端部がケーシング内に挿入され、側端部がケーシングの開口の側縁部に外側から重なり、下端部がケーシングの開口の下縁部の外面とで配線を挟むように形成されている。
【００１１】
したがって、上記遮蔽板によって、人がその開口内に手を挿入できないようにして、感電の危険を下げることができる。また、上記遮蔽板によって、ケーシング内に水が浸入するのを防ぐことができる。また、例えば、上記ケーシング外に火がある場合、遮蔽板によって、その火がケーシングの開口を通ってケーシング内に燃え広がるのを遮蔽板で防ぐことができる。
【００１２】
また、上記ケーシングの開口に遮蔽板を取り付ける場合、遮蔽板の上端部をケーシングの開口からケーシング内に挿入する。このとき、上記ケーシングの開口の上縁部の内面に設けられた係止部に、遮蔽板の上端部を係止させることができるので、遮蔽板の取り付けの作業性を向上させることができる。
【００１３】
また、上記遮蔽板の下端部とケーシングの上記開口の下縁部の外面とで配線を挟むので、ケーシングに配線を固定する部材を省いて、軽量化および低製造コスト化できる。
【００１４】
一実施形態のヒートポンプユニットでは、
上記遮蔽板の上端部は、上記係止部を上下方向から挟むように屈曲している。
【００１５】
上記実施形態のヒートポンプユニットによれば、上記遮蔽板の上端部は、係止部を上下方向から挟むように屈曲しているので、ケーシング内への水の浸入を防ぐ効果を高めることができる。
【００１６】
一実施形態のヒートポンプユニットでは、
上記遮蔽板には、上下方向に延びる縦リブと、横方向に延びる横リブとの少なくとも一方が設けられている。
【００１７】
上記実施形態のヒートポンプユニットによれば、上記遮蔽板には、上下方向に延びる縦リブと、横方向に延びる横リブとの少なくとも一方が設けられているので、遮蔽板の強度を向上させることができる。
【００１８】
一実施形態のヒートポンプユニットでは、
上記遮蔽板には凹部が設けられている。
【００１９】
上記実施形態のヒートポンプユニットによれば、上記遮蔽板には凹部を設けているので、遮蔽板の強度を向上させることができる。
【発明の効果】
【００２０】
本発明のヒートポンプユニットによれば、ケーシングの開口に挿通される共に、一方の端部が上記電装品に電気的に接続された配線と、ケーシングの開口の上縁部の内面に設けられた係止部と、ケーシングの開口に取り付けられた遮蔽板とを備え、この遮蔽板が、ケーシング内に挿入されると共に、その係止部に引っ掛けられて係止される上端部と、ケーシングの開口の側縁部に外側から重なる側端部と、ケーシングの開口の下縁部の外面とで配線を挟む下端部とを有するので、感電の危険を下げることができ、また、ケーシング内への水の浸入を防ぐことができ、また、延焼を防ぐことができる。
【００２１】
また、上記ケーシングの開口に遮蔽板を取り付ける場合、ケーシングの開口の上縁部の内面に設けられた係止部に、遮蔽板の上端部を係止させるので、遮蔽板の取り付けの作業性を向上させることができる。
【００２２】
また、上記遮蔽板の下端部とケーシングの上記開口の下縁部の外面とで配線を挟むので、ケーシングに配線を固定する部材を省いて、軽量化および低製造コスト化できる。
【図面の簡単な説明】
【００２３】
【図１】図１は本発明の一実施形態のヒートポンプユニットの模式図である。
【図２】図２は上記ヒートポンプユニットの正面図である。
【図３】図３は上記ヒートポンプユニットの右側面図である。
【図４】図４は図３のIV−IV線矢視の断面図である。
【図５】図５は図３のＶ−Ｖ線矢視の断面図である。
【図６】図６は上記ヒートポンプユニットの右側面図である。
【図７】図７は上記ヒートポンプユニットの他の右側面図である。
【図８】図８は図４の一部分の拡大図である。
【図９】図９は図８の一部分の拡大図である。
【図１０】図１０は上記ヒートポンプユニットの遮蔽板の正面図である。
【図１１】図１１は上記遮蔽板の底面図である。
【図１２】図１２は上記遮蔽板の右側面図である。
【図１３】図１３は上記遮蔽板の変形例の正面図である。
【発明を実施するための形態】
【００２４】
以下、本発明のヒートポンプユニットを図示の実施の形態により詳細に説明する。
【００２５】
図１は、本発明の一実施形態のヒートポンプユニットの構成を示す模式図である。
【００２６】
上記ヒートポンプユニットは、ケーシング１と、このケーシング１内に収容された冷媒回路２と、ケーシング１内に収容された電動送風機３とを備え、水配管１０５内の水を加熱できるものである。この冷媒回路２は蒸発器１０１、圧縮機１０２、凝縮器１０３および膨張弁１０４を有し、冷媒（例えばＣＯ２冷媒やＮＨ３冷媒など）が冷媒回路２を循環する。より詳しくは、上記冷媒は、蒸発器１０１において、電動送風機３から送られた空気の熱を吸収して、温度が上昇する。この温度が上昇した冷媒は、圧縮機１０２で圧縮されて、温度がさらに上昇した後、凝縮器１０３で水配管１０５内の水に熱を伝えて、温度が下がる。この温度が下がった冷媒は、膨張弁１０４で膨張して、温度がさらに下がった後、蒸発器１０１に戻る。なお、冷媒回路２、電動送風機３は、ヒートポンプ本体の一例である。
【００２７】
また、上記ケーシング１内には、電動送風機３および圧縮機１０２などを制御するための電装品４が配置されている。
【００２８】
図２は、上記ヒートポンプユニットを正面側から見た図である。また、図３は、上記ヒートポンプユニットを右側面側から見た図である。また、図４は、図３のIV−IV線から見た断面図である。図５は、図３のＶ−Ｖ線から見た断面図である。なお、図２〜図５では、後述する配線８の図示は省略している。
【００２９】
図２，図５に示すように、上記ケーシングの前面には格子形状のファンガード５が着脱可能に取り付けられている。電動送風機３が回転すると、蒸発器１０１（図１参照）と熱交換して空気がファンガード５を介して吹き出る。また、図２〜図５に示すように、ケーシング１の右側面にはバルブカバー６が着脱可能に取り付けられている。このバルブカバー６の下部は、水配管１０５（図１参照）の各端部に設けられたバルブ１０６を覆っている。
【００３０】
図６は、上記バルブカバー６が取り外されたヒートポンプユニットを右側面側から見た図である。また、図７は、上記バルブカバー６、配線８および遮蔽板９が取り外されたヒートポンプユニットを右側面側から見た図である。
【００３１】
図６，図７に示すように、上記ケーシング１の右側部には開口７が設けられている。この開口７には、配線８が挿通されると共に、金属製の遮蔽板９が取り付けられている。配線８の一方の端部は電装品４（図４，図５参照）に電気的に接続されている。そして、配線８の他方の端部は、図示しないコントロール装置に電気的に接続される。
【００３２】
また、上記ケーシング１の右側部の外面には、開口７からケーシング１の底部まで延びる凹部１０が設けられている。凹部１０は、開口７から引き出された配線８の一部を収容する。この凹部１０は下部の一部を除いてバルブカバー６で覆われる。
【００３３】
上記遮蔽板９の上端部９ａは、ケーシング１内に挿入されて、ケーシング１の開口７の上縁部１３に内側から重なる。一方、遮蔽板９の一方の側端部９ｂはケーシング１の開口７の一方の側縁部１４に、遮蔽板９の他方の側端部９ｃはケーシング１の開口７の他方の側縁部１５に、遮蔽板９の下端部９ｄはケーシング１の開口７の下縁部１６に、それぞれ、外側から重なる。
【００３４】
上記ケーシング１の開口７に遮蔽板９を取り付けることにより、遮蔽板９の下端部９ｄは、ケーシング１の開口７の下縁部１６の外面とで配線８を挟むようになっている。
【００３５】
また、図３に示すように、上記バルブカバー６の下部の後側には、バルブカバー６を貫通する貫通孔１１が設けられている。図６，図７に示す配線８、および、バルブ１０６，１０６に接続される水配管（図示せず）は、その貫通孔１１を通ってバルブカバー６外に出るようになっている。
【００３６】
図８は、図４の一点鎖線円Ａで囲まれた部分の拡大図である。また、図９は、図８の一点鎖線円Ｂで囲まれた部分の拡大図である。
【００３７】
図８，図９に示すように、上記ケーシング１の開口７の上縁部１３の内面には、ケーシング１内に向かって突出する係止部１２が設けられている。遮蔽板９の上端部９ａは、その係止部１２に引っ掛けられて係止される。そして、遮蔽板９の上端部９ａは、係止部１２を上下方向から挟むように屈曲している。別の言い方をすれば、遮蔽板９の上端部９ａを鉛直面で切った断面は鉤状に屈曲する形状を呈する。
【００３８】
上記ケーシング１の開口７の下縁部１６の内面には、ケーシング１内に向かって突出する舌部１７が設けられている。この舌部１７の突出量は係止部１２の突出量よりも大きく、舌部１７の先端部は上方へ屈曲している。
【００３９】
図１０は、上記遮蔽板９を正面側から見た図である。また、図１１は、遮蔽板９を底面側から見た図である。また、図１２は、遮蔽板９を右側面側から見た図である。
【００４０】
図１０に示すように、上記遮蔽板９は、遮蔽板９をケーシング１に固定するための２つのネジ孔１８を下端部９ｄに有している。そして、図１０〜図１２に示すように、遮蔽板９の内面（電装品４側の表面）には、上下方向に延びる３本の縦リブ１９，１９，１９が設けられている。さらに、遮蔽板９の内面には、配線８の一部が入る凹部２３を設けている。また、遮蔽板９の外面（バルブカバー６側の表面）には、縦リブ１９，１９，１９の下端部に重なるように凹部２０が設けられている。
【００４１】
上記構成のヒートポンプユニットによれば、図７，図８に示すように、遮蔽板９は、上端部９ａがケーシング１内に挿入され、一方の側端部９ｂ、他方の側端部９ｃおよび下端部９ｄがケーシング１の開口７の一方の側縁部１４、他方の側縁部１５および下縁部１６に外側から重なるので、開口７の略全部を塞ぐ。
【００４２】
したがって、上記ケーシング１からバルブカバー６が取り外されたとしても、開口７から遮蔽板９を取り外さない限り、開口７からケーシング１内へ手を挿入できないようにすることができる。その結果、例えばメンテナンス者が感電する危険を下げることができる。
【００４３】
また、上記遮蔽板９が開口７の略全部を塞ぐので、ケーシング１内に水が浸入するのを防ぐことができるし、ケーシング１外の火がケーシング１の開口７を通ってケーシング１内に燃え広がるのを防ぐこともできる。
【００４４】
また、上記ケーシング１の開口７に遮蔽板９を取り付ける場合、まず、ケーシング１内に遮蔽板９の上端部９ａを挿入し、ケーシング１の開口７の上縁部１３の内面の係止部１２に遮蔽板９の上端部９ａを係止させる。次に、遮蔽板９の下端部９ｄのネジ孔１８，１８にネジ２１，２１を挿通し、ケーシング１に遮蔽板９をネジ２１，２１で固定する。
【００４５】
このように、上記係止部１２に遮蔽板９の上端部９ａを係止させることによって、遮蔽板９の取り付けを行う者は、片手で遮蔽板９を保持しなくても、ネジ止めを行えるので、遮蔽板９の取り付けの作業性は良好である。
【００４６】
また、上記遮蔽板９の下端部９ｄとケーシング１の開口７の下縁部１６の外面とで配線８を挟むので、ケーシング１に配線８を固定する部材を省いて、軽量化および低製造コスト化できる。
【００４７】
また、上記遮蔽板９の上端部９ａは、係止部１２を上下方向から挟むように屈曲しているので、ケーシング１内への水の浸入を防ぐ効果を高めることができる。
【００４８】
また、上記遮蔽板９の内面には上下方向に延びる縦リブ１９，１９，１９を設け、遮蔽板９の外面には凹部２０を設けているので、遮蔽板９の強度は非常に高い。
【００４９】
また、上記遮蔽板９の内面には、配線８の一部が入る凹部２３を設けているので、ケーシング１の開口７の側縁部１４，１５に遮蔽板９の側端部９ｂ，９ｃを密着させることができる。
【００５０】
したがって、上記遮蔽板９による感電防止、水浸入防止および延焼防止の効果を高めることができる。また、凹部２３は遮蔽板９の強度をさらに高めることもできる。
【００５１】
上記実施形態において、縦リブ１９の本数を、１本、または、３本以外の複数本にしてもよい。
【００５２】
上記実施形態において、遮蔽板９に換えて、図１３に示す遮蔽板２０９を用いてもよい。この遮蔽板２０９の内面には、上下方向に延びる３本の縦リブ１９，１９，１９と、横方向に延びる一本の横リブ２２とが設けられている。遮蔽板２０９の横リブ２２以外の構成は遮蔽板９と同じである。なお、図１３において、図１０に示した構成部と同一構成部は、図１０における構成部と同一参照番号を付して説明を省略する。
【００５３】
上記遮蔽板２０９において、３本の縦リブ１９，１９，１９を設けないようにしたり、横リブ２２の本数を複数本にしたりしてもよい。
【００５４】
上記実施形態では、遮蔽板９の上端部９ａを、係止部１２を上下方向から挟むように屈曲させていたが、上方向から係止部１２に重なるように屈曲させるだけでもよい。
【符号の説明】
【００５５】
１  ケーシング
２  冷媒回路
３  電動送風機
４  電装品
７  開口
８  配線
９，２０９  遮蔽板
９ａ  上端部
９ｂ，９ｃ  側端部
９ｄ  下端部
１２  係止部
１３  上縁部
１４，１５  側縁部
１６  下縁部
１９  縦リブ
２０  凹部
２２  横リブ
【図１】
2011094933.tif 000003
【図２】
2011094933.tif 000004
【図３】
2011094933.tif 000005
【図４】
2011094933.tif 000006
【図５】
2011094933.tif 000007
【図６】
2011094933.tif 000008
【図７】
2011094933.tif 000009
【図８】
2011094933.tif 000010
【図９】
2011094933.tif 000011
【図１０】
2011094933.tif 000012
【図１１】
2011094933.tif 000013
【図１２】
2011094933.tif 000014
【図１３】
2011094933.tif 000015